(57)【要約】      （修正有）【課題】携帯電話保護ケース及びその磁気遮断シートを提供する。【解決手段】磁気遮断シートは、透磁特性を持つ材料により製造され且つ印刷の特性を有する中間透磁層２００を含む。中間透磁層２００の上下方向における両面又は何れの一面に重なって設けられた保護層群（第１、第２の保護膜層１００、３００）を更に含むことで、当該中間透磁層２００の強度を増やすので、当該磁気遮断シートの強度が保証され、使用中に容易に破損しないように確保される。従って、それに対応して、当該磁気遮断シートが設けられた携帯電話保護ケースはより容易にメンテナンスされ、その使用寿命も比較的長い。また、中間透磁層２００及び／又は保護層群は何れも印刷の特性を有するので、当該磁気遮断シートの外観を改善し、また宣伝を容易にするために、実際の要求に応じて、中間透磁層２００及び／又は保護層群に各種の色の不同なパターンを印刷してもよい。【選択図】図４
0003218727.tif 000002
【実用新案登録請求の範囲】
【請求項１】
透磁特性を持つ材料により製造され且つ印刷の特性を有する中間透磁層を含む磁気遮断シートにおいて、前記中間透磁層の上下方向における両面又は何れの一面に重なって設けられた、前記中間透磁層の硬度を増やすための保護層群を更に含むことを特徴とする磁気遮断シート。
【請求項２】
前記保護層群は、前記中間透磁層の上下方向における何れの一面に重なって設けられた、印刷の特性を有する第１の保護膜層を含むことを特徴とする請求項１に記載の磁気遮断シート。
【請求項３】
前記保護層群は、前記第１の保護膜層に対向するように前記中間透磁層の何れの一面に重なって設けられた、印刷の特性を有する第２の保護膜層を更に含むことを特徴とする請求項２に記載の磁気遮断シート。
【請求項４】
前記保護層群は、前記第１の保護膜層に対向するように前記中間透磁層の上下方向における何れの一面に重なって設けられた、第１の両面接着テープ層を更に含むことを特徴とする請求項２に記載の磁気遮断シート。
【請求項５】
前記中間透磁層は、厚さが０．０１〜１．０ｍｍの範囲にあることを特徴とする請求項１〜４の何れか１項に記載の磁気遮断シート。
【請求項６】
前記第１の保護膜層は、厚さが０．０１〜１．０ｍｍの範囲にあることを特徴とする請求項２〜４の何れか１項に記載の磁気遮断シート。
【請求項７】
前記保護層群は、前記中間透磁層の上下方向における何れの一面に重なって設けられた、第２の両面接着テープ層を含むことを特徴とする請求項１に記載の磁気遮断シート。
【請求項８】
前記中間透磁層は、厚さが０．０１〜１．０ｍｍの範囲にあることを特徴とする請求項７に記載の磁気遮断シート。
【請求項９】
保護ケース本体と、前記保護ケース本体に設けられた請求項１〜８の何れか１項に記載の磁気遮断シートと、を備えることを特徴とする携帯電話保護ケース。
【考案の詳細な説明】
【技術分野】
【０００１】
本考案は透磁の技術分野に属し、磁気遮断シートに関し、特に透磁材料により製造されたシート状の磁気遮断シート及びそれが設けられた携帯電話保護ケースに関する。
【背景技術】
【０００２】
現在、科学技術が絶えずに発展するにつれて、人々の個性化の要求及び便利化の意識が益々突出して普遍になる。例えば、私たちの日常生活において、各種の携帯電話に好適に用いられる様々な携帯電話保護ケース又は保護カバーは、既に至る所に見られるようになる。それに対して、乗車カード、バンクカード、入門許可カード、患者カード、ミールカード等の各種のＲＦＩＤ（Ｒａｄｉｏ  Ｆｒｅｑｕｅｎｃｙ  Ｉｄｅｎｔｉｆｉｃａｔｉｏｎ）カードの普及や適用につれて、これらのＲＦＩＤカードを、いつでも使えるように便利に収納するために、人々は常に身につける携帯電話の保護ケース又は保護カバーに挿すことは、一般的である。
【０００３】
実際の適用においては、携帯電話の金属ケース及び携帯電話における各種の電子デバイスが携帯電話保護ケース又は携帯電話保護カバーに挿入されたこれらのＲＦＩＤカードから伝送された電磁信号を干渉することで、カードリーダーは快速に読み取ることができず、更にこれらのＲＦＩＤカード内に保存された関連情報を読み取ることができなくなり、人々の生活に各種の不便をもたらす。従って、それに対応する磁気遮断シートが市販されるようになる。つまり、携帯電話保護ケース又は保護カバーに磁気遮断シートを内蔵することで、これらのＲＦＩＤカードの磁化を防止し、また伝送された電磁信号が干渉されることを防止してカードが正常に読み取られるようにする。しかしながら、従来技術では、その磁気遮断シートが一般的に透磁材料から製造された１層の単一のシート構造であり、使用中、その硬度が不足であるので、容易に破損し、またその外観もあまり美しくないので、更なる加工にも不利である。
【考案の概要】
【考案が解決しようとする課題】
【０００４】
本考案は磁気遮断シートを提供することを目的とし、従来の磁気遮断シートが構造上破損しやすく、及び外観上あまり美しくないという技術的課題を解決することを旨とする。
【課題を解決するための手段】
【０００５】
上記の技術的課題を解決するために、本考案は以下の技術的解決手段を採用する。透磁特性を持つ材料により製造され且つ印刷の特性を有する中間透磁層を含む磁気遮断シートにおいて、前記中間透磁層の上下方向における両面又は何れの一面に重なって設けられた、前記中間透磁層の硬度を増やすための保護層群を更に含む磁気遮断シートを提供する。
【０００６】
更に、前記保護層群は、前記中間透磁層の上下方向における何れの一面に重なって設けられた、印刷の特性を有する第１の保護膜層を含む。
【０００７】
或は、また更に、前記保護層群は、前記第１の保護膜層に対向するように前記中間透磁層の何れの一面に重なって設けられた、印刷の特性を有する第２の保護膜層を更に含む。
【０００８】
或は、また更に、前記保護層群は、前記第１の保護膜層に対向するように前記中間透磁層の上下方向における何れの一面に重なって設けられた、第１の両面接着テープ層を更に含む。
【０００９】
また更に、前記中間透磁層は、厚さが０．０１〜１．０ｍｍの範囲にある。
【００１０】
また更に、前記第１の保護膜層は、厚さが０．０１〜１．０ｍｍの範囲にある。
【００１１】
或は、更に、前記保護層群は、前記中間透磁層の上下方向における何れの一面に重なって設けられた、第２の両面接着テープ層を含む。
【００１２】
また更に、前記中間透磁層は、厚さが０．０１〜１．０ｍｍの範囲にある。
【００１３】
従来技術に比べて、本考案の提供する磁気遮断シートの有益な効果は、下記の通りである。
【００１４】
中間透磁層の上下方向における両面又は何れの一面に保護層群を重なって設けることで、当該中間透磁層の強度を増やすため、当該磁気遮断シートの強度が保証され、使用中に容易に破損しないように確保される。また、当該中間透磁層及び／又は保護層群は何れも印刷の特性を有するので、当該磁気遮断シートの外観を改善し、また宣伝を容易にするために、実際の要求に応じて、中間透磁層及び／又は保護層群に各種の色の不同なパターンを印刷してもよい。
【００１５】
本考案は、更に、保護ケース本体と、前記保護ケース本体に設けられた前記磁気遮断シートと、を備える携帯電話保護ケースを提供することを目的とする。
【００１６】
従来技術に比べて、本考案の提供する携帯電話保護ケースの有益な効果は、上記の磁気遮断シートを設けることで、当該携帯電話保護ケースを容易にメンテナンスし、その使用寿命を一定の程度で向上させることにある。
【図面の簡単な説明】
【００１７】
【図１】本考案の実施形態１に係る磁気遮断シートの断面を示す構造模式図である。
【図２】図１に示した磁気遮断シートの各層が部分的に分離した状態にある場合の構造模式図である。
【図３】本考案の実施形態２に係る磁気遮断シートの断面を示す構造模式図である。
【図４】図３に示した磁気遮断シートの各層が部分的に分離した状態にある場合の構造模式図である。
【図５】本考案の実施形態３に示した磁気遮断シートの断面を示す構造模式図である。
【図６】本考案の実施形態４に係る磁気遮断シートの断面を示す構造模式図である。
【考案を実施するための形態】
【００１８】
本考案の解決しようとする技術的課題、技術的解決手段及び利点をより明らかにするために、以下、図面及び実施形態に合わせて本考案をより詳細に説明する。ここで記述される具体的な実施形態は本考案を解釈するためのものに過ぎず、本考案を限定するためのものではないことを理解すべきである。
【００１９】
以下、具体的な図面に合わせて本考案の実現について詳細に記述する。
【００２０】
留意すべきは、部材が別の部材「に固定される」又は「に設けられる」と呼ばれる場合、直接或は間接に前記別の部材に存在してもよい。ある部材が別の部材「に接続される」と呼ばれる場合、前記別の部材に直接或は間接に接続されてもよい。
【００２１】
更に、留意すべきは、本考案の実施形態の添付図面において、同一又は相似な符号は、同一又は相似な部材に対応する。本考案の記述において、理解すべきは、「上」、「下」、「左」、「右」等の術語の指示する方位又は位置関係が出る場合、添付図面の示す方位又は位置関係に基づくものであり、単に、本考案を容易に記述し、また記述を簡単化するためのものであり、当該装置又は素子が必ず特定の方位を有し、又は特定の方位で構造や操作をすることを指示又は示唆するものではない。そのため、添付図面における位置関係を記述する用語は、単に例示的に説明するためのものであり、本実用新案に対する制限として理解されることはできない。当業者であれば、具体的な状況に応じて、上記術語の具体的な意味を理解することができる。
【００２２】
図１及び図２に示すように、本考案の好ましい実施形態の提供する磁気遮断シートである。
【００２３】
磁気遮断シートは、磁気防止シート、磁気防止カード、磁気防止ステッカー及び消磁シート等とも呼ばれる。図１及び図２に示すように、この磁気遮断シートは、中間透磁層２００を含む。ここで、この中間透磁層２００は、透磁の実部が０より大きく且つ透磁特性を持つ材料から製造され、その厚さが０．０１〜１．０ｍｍの範囲にある。留意すべきは、各種の色の不同なパターンをこの磁気遮断シートに容易に印刷して、磁気遮断シートの外観を改善するために、また磁気遮断シートの宣伝を容易にするために、一般的に、この中間透磁層２００は、印刷の特性を有する。
【００２４】
更に、留意すべきは、実際の適用においては、この１層の中間透磁層２００だけでは、乗車カード、バンクカード等の各種のＲＦＩＤカードが携帯電話により消磁されることを防止することができ、カードを読み取る場合に各種のＲＦＩＤカードの発した電磁波が携帯電話等の電子設備の金属ケース及び内部の各種の電子デバイスにより干渉されることを防止することができるので、カードを正常且つ快速に読み取ることが達成される。
【００２５】
上記中間透磁層２００の硬度を増やして、この磁気遮断シートの強度を向上させるために、この磁気遮断シートは、保護層群を更に含む。ここで、前記保護層群は、中間透磁層２００の上下方向における両面又は何れの一面に重なって設けられる。言い換えれば、中間透磁層２００は、一般的に、上下方向において上面及び下面という両面を有する。この保護層群は、前記中間透磁層２００の上面及び下面に重なって設けられてもよいし、単に上面に設けられてもよく、或は単に下面に設けられてもよい。つまり、当該保護層群は、当該中間透磁層２００の上面及び下面の両面の少なくとも一方に設けられる。
【００２６】
具体的には、一般的に、保護層群と中間透磁層とは、粘着することで固定され、例えば、両面接着テープ、固体のり或は液体のり等によって接着する。もちろんこのように重なって設けられる形態に制限されず、例えば、互いに付着させるように重なって設けられることなどであってもよい。
【００２７】
特に、留意すべきは、当該磁気遮断シートは、主に、携帯電話保護ケース又は携帯電話保護カバーに用いられ、もちろん、タブレットＰＣ等の電子設備に適用されてもよい。即ち、当該磁気遮断シートは、主に、携帯電話保護ケース又は携帯電話保護カバーに用いられるが、これに制限されない。
【００２８】
実施形態１
図１及び図２に示すように、本考案の提供する好ましい実施形態による磁気遮断シートである。ここで、上記の保護層群は、第１の保護膜層１００を含む。中間透磁層２００の硬度を容易に増やすために、当該第１の保護膜層１００は、中間透磁層２００の上下方向における何れの一面に重なって設けられ、具体的には上面又は下面に設けられてもよい。具体的には、本実施形態において、第１の保護膜層１００と中間透磁層２００とは、粘着することで固定され、例えば、両面接着テープ或は固体のりによって接着される。
【００２９】
留意すべきは、当該第１の保護膜層１００は、一般的に、１層の高分子保護膜であり、例えば、ＰＥＴ、ＰＥ、ＰＰ、ＰＣ、ＰＶＣ等の材料を採用するが、これらの材料から製造されたプラスチックフィルムに制限されない。また、異なるユーザーの個性化の要求を満たすために、当該第１の保護膜層１００は、異なる厚さを有してもよく、その厚さが０．０１〜１．０ｍｍの範囲に変化する。
【００３０】
更に、留意すべきは、当該磁気遮断シートの外観を容易に改善するために、当該第１の保護膜層１００は、印刷の特性を有する。一般的に、当該第１の保護膜層１００に各種の色の不同なパターンを印刷してもよく、特殊な場合には、当該第１の保護膜層１００が透明なものであると、各種の色の不同なパターンを中間透磁層２００に印刷してもよい。
【００３１】
実施形態２
図３及び図４を一緒に参照し、本考案の別の好ましい実施形態が提供される。
【００３２】
実際に、本実施形態の主要な技術的特徴が実施形態１のものと大体同一であるので、ここで詳しく説明しない。本実施形態は、その保護層群が上記の第１の保護膜層１００以外、第１の保護膜層１００に対向するように中間透磁層２００の何れの一面に重なって設けられた第２の保護膜層３００を更に含むことにおいて、実施形態１と異なっている。即ち、第１の保護膜層１００が中間透磁層２００の上面に重なって設けられると、第２の保護膜層３００は中間透磁層２００の下面に重なって設けられ、逆にしてもよい。
【００３３】
同様に、留意すべきは、当該第２の保護膜層３００も、一般的に、１層の高分子保護膜であり、例えば、ＰＥＴ、ＰＥ、ＰＰ、ＰＣ、ＰＶＣ等の材料を採用するが、これらの材料から製造されたプラスチックフィルムに制限されない。また、異なるユーザーの個性化の要求を満たすために、当該第２の保護膜層３００も、異なる厚さを有してもよく、その厚さも０．０１〜１．０ｍｍの範囲に変化する。
【００３４】
また、留意すべきは、同様に、当該磁気遮断シートの外観を容易に改善するために、当該第２の保護膜層３００も、印刷の特性を有する。即ち、当該第２の保護膜層３００に各種の色の不同なパターンを印刷してもよい。つまり、ユーザーの異なる要求に応じて、第１の保護膜層１００及び／又は第１の保護膜層１００に各種の色の不同なパターンを印刷してもよい。特殊な場合には、当該第１の保護膜層１００又は第２の保護膜層３００が透明なものであると、同様に、各種の色の不同なパターンを中間透磁層２００に印刷してもよい。
【００３５】
最後に、留意すべきは、当該第２の保護膜層３００は、具体的には実際の要求によって、第１の保護膜層１００と同一であってもよいし、異なってもよい。
【００３６】
実施形態３
図５を一緒に参照し、本考案のまた別の好ましい実施形態が提供される。
【００３７】
実際に、本実施形態の主要な技術的特徴が実施形態１のものと大体同一であるので、ここで詳しく説明しない。本実施形態は、その保護層群が上記の第１の保護膜層１００以外、第１の保護膜層１００に対向するように中間透磁層２００の上下方向における何れの一面に重なって設けられた第１の両面接着テープ層４００を更に含むことにおいて、実施形態１と異なっている。即ち、第１の保護膜層１００が中間透磁層２００の上面に重なって設けられると、第１の両面接着テープ層４００は、中間透磁層２００の下面に重なって設けられ、また逆にしてもよい。
【００３８】
実施形態４
図６を一緒に参照し、本考案のもう１つの好ましい実施形態が提供される。
【００３９】
本実施形態の主要な技術的特徴は、実施形態１のものと僅かに異なり、その保護層群は、中間透磁層２００の上下方向における何れの一面に重なって設けられ、具体的には、中間透磁層２００の上面又は下面に設けられた第２の両面接着テープ層５００を含む。
【００４０】
留意すべきは、前述のいくつかの実施形態の強化効果ほど顕著ではないが、このような形態によっても、中間透磁層２００の硬度を一定の程度で強化させることができる。更に、留意すべきは、当該第２の両面接着テープ層５００は、具体的に実際の要求によって、第１の両面接着テープ層４００と同一であってもよいし、異なってもよい。
【００４１】
本考案は、保護ケース本体と、前記保護ケース本体に設けられた前記磁気遮断シートと、を備える携帯電話保護ケースを提供する。理解すべきは、保護ケース本体に当該磁気遮断シートを設けることで、当該保護ケース本体を容易にメンテナンスし、携帯電話保護ケース又は携帯電話保護カバーの使用寿命を一定の程度で向上させることができる。
【００４２】
特に、留意すべきは、当該保護ケース本体は、携帯電話保護ケースのケースであってもよいし、携帯電話保護カバーのカバーであってもよい。携帯電話保護カバー及び携帯電話保護ケースは、携帯電話の使用途中での作用が基本的に類似しており、何れも携帯電話を保護するものであるため、本考案では、携帯電話保護ケースのみを例として説明したが、実際に、上記の磁気遮断シートは、携帯電話保護カバーに適用されてもよい。また、本実施形態における磁気遮断シートは、上記各実施形態に対応する磁気遮断シートを使用し、同一の作用を果たすので、ここで詳しく説明しない。
【００４３】
上記は本考案の好ましい実施形態に過ぎず、本考案を制限するためのものではない。当業者にとって、本考案は各種の変更と変化を有してもよい。本考案の精神及び原則においてなされたあらゆる補正、等価置換及び改良等は、何れも本考案の実用新案登録請求の範囲に含まれるはずである。
【符号の説明】
【００４４】
１００  第１の保護膜層、２００  中間透磁層、３００  第２の保護膜層、４００  第１の両面接着テープ層、５００  第２の両面接着テープ層。
【図１】
0003218727.tif 000003
【図２】
0003218727.tif 000004
【図３】
0003218727.tif 000005
【図４】
0003218727.tif 000006
【図５】
0003218727.tif 000007
【図６】
0003218727.tif 000008